(57)【要約】【課題】缶を見る角度によって缶表面に描かれた文字やデザインの色彩を自然と移りゆくように変化させることを、従来のオフセット印刷によって容易に実現することができ、さらに、生産コストを低廉に抑えることができる缶を提供する。【解決手段】缶胴１０ｂの外表面に表示部１１が設けられた缶１０において、表示部１１に缶胴１０ｂの周方向に延在する単位表示部５０，５１が缶軸方向に複数形成され、単位表示部５０，５１は缶１０の周方向に向けて面積が漸次小となる複数の単位表示領域を備えており、複数の単位表示部は、漸次小となる方向が缶軸方向に交互に逆方向となるように設けられ、交互に設けられている単位表示部５０、５１の色彩が、一方向に向けて漸次小となる単位表示部５０，５１と他方逆方向に向けて漸次小となる単位表示部５０，５１とで異なることを特徴とする。【選択図】  図１
2005132381.tif 000002
【特許請求の範囲】
【請求項１】
缶胴の外表面に表示部が設けられた缶において、
前記表示部は、前記缶胴の周方向に延在する単位表示部が缶軸方向に互いに隣接するように複数設けられた構成とされ、前記単位表示部は、前記缶胴の周方向に向けて面積が漸次小となる複数の単位表示領域を備えており、前記単位表示部は、前記漸次小となる方向が缶軸方向に交互に逆方向となるように設けられると共に、該交互に設けられているものの色彩が異なることを特徴とする缶。
【請求項２】
請求項１に記載の缶において、
前記単位表示領域が互いに連なるように構成され、前記単位表示部が帯状又は線状に形成されていることを特徴とする缶。
【請求項３】
請求項１に記載の缶において、
前記単位表示部に備えられた前記単位表示領域が個々に独立して形成されており、前記単位表示領域が円形状又は多角形形状に形成されていることを特徴とする缶。
【発明の詳細な説明】
【技術分野】
【０００１】
この発明は、缶胴に表示部が設けられた缶に関する。
【背景技術】
【０００２】
近年、飲料缶等においては、その外観意匠の向上を目的として、飲料缶を見る方向によって、缶表面に描かれた文字やデザイン等の表示部の色彩が変化するように構成されているものが普及している（例えば特許文献１参照）。
例えば、表示部にフィルムが貼り付けられた缶、また、表示部の印刷膜の塗膜厚が厚く形成された缶が挙げられる。
【特許文献１】特開平２０００−５１５０７２号公報
【発明の開示】
【発明が解決しようとする課題】
【０００３】
ところで、上記の缶においては、フィルムは高価であることから、生産コストが高くなるという問題があった。
また、印刷の塗膜厚を厚く形成するには、印刷工程と乾燥工程を複数回繰り返す必要が生じ、缶の生産工程が複雑になるという問題があった。
【課題を解決するための手段】
【０００４】
上記目的を達成するために、この発明は以下の手段を提案している。
請求項１に係る発明は、缶胴の外表面に表示部が設けられた缶において、前記表示部に前記缶胴の周方向に延在する単位表示部が缶軸方向に複数形成され、前記単位表示部は前記缶軸方向に向けて面積が漸次小となる複数の単位表示領域を備えており、複数の前記単位表示部は、前記漸次小となる方向が、缶軸方向に交互に逆方向となるように設けられ、該交互に設けられている前記単位表示部の色彩が、一方向に向けて漸次小となる前記単位表示部と他方逆方向に向けて漸次小となる前記単位表示部とで異なることを特徴とする。
この発明に係る缶によれば、缶を回転させると単位表示部の周方向の面積が変化することになるため、缶の見る方向によって表示部の色彩が変化することになる。
なお、本発明における色彩とは、有彩色と無彩色とを含む概念である。有彩色においては、明度、彩度、色相のいずれかを変化させることによって色彩が変化することになり、無彩色においては明度を変化させることにより色彩が変化することになる。
【０００５】
請求項２に係る発明は、請求項１に記載の缶において、前記単位表示領域が互いに連なって、前記単位表示部が帯状又は線状に形成されていることを特徴とする。
この発明に係る缶によれば、単位表示部が帯状又は線状に形成されていることから、缶の見る方向によって漸次、単位表示部の周方向の面積が変化することになり、缶の見る方向によって表示部の色彩が変化することになる。
【０００６】
請求項３に記載の発明は請求項１又は２に記載の缶において、請求項１又は２に記載の缶において、前記単位表示部に分散した前記単位表示領域が円形状又は多角形形状に形成されていることを特徴とする。
この発明に係る缶によれば、表示部の色彩を見る方向によって変化することになる。
【発明の効果】
【０００７】
本発明によれば、缶を見る角度によって缶表面の表示部の色彩を自然と移りゆくように変化させることを、容易に実現することができ、生産コストを低廉に抑えることができる。
【発明を実施するための最良の形態】
【０００８】
以下、図面を参照して、この発明に第１の実施形態について説明する。
図１は、本実施形態に係る缶１０を示す斜視図である。この缶１０は、金属板をしごき・絞り加工することにより缶底１０aと缶胴１０bとが一体に形成されたものであり、缶蓋を装着することによりいわゆる２ピース缶として製造されたものである。
缶胴１０ｂの外表面は、表示部１１と、表示部１１の外周縁部に形成された凹部１２とが形成されている。また、缶胴１０ｂの外周面には、所定の色彩の印刷膜が形成されている。表示部１１は、リンゴのシルエットが模られている。
【０００９】
また、表示部１１は、単位表示部５０、５１により形成されており、この単位表示部５０、５１は、缶の周方向に延在させられている。
図２に示されるように、単位表示部５０は、複数の単位表示領域５０ｃにより形成されており、この単位表示領域５０ｃは、缶胴１０ｂの周方向に向かうに従って漸次面積が小さくなるように形成されている。また、単位表示領域５０ｃは、缶胴１０ｂの周方向に互いに連なるように構成され、単位表示領域５０ｃの色彩は緑色とされている。
このため、単位表示部５０は、缶胴１０ｂの周方向に向かうに従って面積が漸次小となる帯状に形成されている。
その一方で、単位表示部５１は、複数の単位表示領域５１ｃにより形成されており、この単位表示領域５１ｃは缶胴１０ｂの周方向に向かうに従って漸次缶軸方向の面積が小さくなるように形成されている。また、単位表示領域５１ｃは周方向に互いに連なるように構成されており、単位表示領域５１ｃの色彩は赤色とされている。
【００１０】
このため、単位表示部５１は、缶胴１０ｂの周方向に向かうに従って漸次面積が小となる帯状に形成されている。
即ち、単位表示部５０の面積が漸次小となる方向と、単位表示部５１の面積が漸次小となる方向とが、缶軸方向に交互に逆方向となるように設けられている。
つまり、単位表示部５０の面積が、表示部１１の一方の端部４０から他方の端部４１に向かうに従って漸次小とされ、その一方で、単位表示部５１の面積が、表示部１１の他方の端部４１から一方の端部４０に向かうに従って漸次小となるように形成されている。
【００１１】
図２に示されるように、単位表示部５０の始端部７２は表示部１１の一方の端部４０に位置させられており、単位表示部５１の終端部７０は表示部１１の他方の端部４１に位置させられている。
ここで、単位表示部５０の缶軸方向の幅は、始端部７２において最大幅（１ｍｍ以上２ｍｍ以下）とされ、終端部７０において最小幅（０．２ｍｍ以下）とされている。
その一方で、単位表示部５１の始端部７３は表示部１１の他方の端部４０に位置させられており、また、終端部７１は表示部１１の一方の端部４１に位置させられている。
また、単位表示部５１の缶軸方向の幅は、始端部７３において最大幅（１ｍｍ以上２ｍｍ以下）とされ、終端部７１において最小幅（０．２ｍｍ以下）とされている。
このように形成された単位表示部５０と単位表示部５１との缶軸方向の間隔は、略０．１ｍｍとなるように形成されている。
【００１２】
さらに、表示部１１の軸方向の最大長さは、略４．５ｃｍとされ、周方向の最大長さは略５ｃｍとされている。また、缶胴１０ｂの外径は、６．６ｃｍとされている。
ここで、缶１０は例えば、図３に示す缶塗装装置３０によって塗装される。
【００１３】
図３に示されるように、缶塗装装置３０は、インキ付着機構３０ａと、缶移動機構３０ｂと、オーバーコート加工機構３０ｃとを備える構成とされている。
インキ付着機構３０ａは、印刷される各色毎に設けられるインカーユニット３１ａ〜３１ｆと、各インカーユニット３１ａ〜３１ｆから転写されたインキを缶１０に転写するブランケット胴３２とを有した構成とされる。インカーユニット３１ａ〜３１ｆは、インキ源３３と、ローラーユニット３４と、プレートシリンダ（版胴）３７とを備え、プレートシリンダ３７の外周面には、転写する色に合わされた版が形成されている。ブランケット胴３２の外周面にはブランケット３８が複数枚備えられている。
【００１４】
インキ源３３に供給されたそれぞれの色のインキは、ローラーユニット３４によりプレートシリンダ３７の外周面の版に塗布され、プレートシリンダ３７からブランケット３８に転写される。ブランケット胴３２が回転することでブランケット３８には各インカーユニット３１ａ〜３１ｆから各色のインキが転写され、缶１０に印刷する表示部１１が形成される。
【００１５】
缶移動機構３０ｂは、缶１０を取り入れる缶シュータ１４０と、缶シュータ１４０から供給された缶１０を回転自在に保持するマンドレル１４２と、このマンドレル１４２に装着された缶１０を順次、インキ付着機構３０ａ方向に回転移動させるマンドレルターレット１４１とを備えて構成されている。  
オーバーコート加工機構３０ｃは、インキが塗装された缶１０にオーバーコート塗料を塗装するロールコータ１４３を備えた構成とされている。
【００１６】
このような構成の缶塗装装置３０において、缶１０に塗装するためには、ベースコート層が形成された缶１０が、缶シュータ１４０から缶移動機構３０ｂに送り込まれ、マンドレル１４２により回転自在に保持される。そして、缶１０は、マンドレルターレット１４１によりインキ付着機構３０ａのブランケット胴３２に当接され、ブランケット３８に塗布されているインキが缶１０に転写される。その後、缶１０は、オーバーコート加工機構３０ｃに送られ、ロールコータ１４３により缶１０の側面全面にオーバーコート塗料が塗装される。
【００１７】
上述したように構成されたインカーユニット３１ａ〜３１ｆが備えられたインキ付着機構３０ａで外面塗装工程が行われる。このようにして、図１に示されるような缶１０が形成される。
即ち、単位表示部５０、５１は、缶塗布装置３０によって一度の印刷で、表示部１１に形成されることになる。
このように形成された表示部は、一方の端部４０において、缶軸方向の幅の広い単位表示部５０と軸方向の幅の狭い単位表示部５１とが軸方向に交互に塗布されており、一方の端部４０から他方の端部４１に向かうに従って、単位表示部５０の缶軸方向の幅が漸次狭くなり、単位表示部５１の軸方向の幅が漸次広くなり、そして、表示部１１の他方の端部４１においては、単位表示部５０の軸方向の幅が狭くされ、単位表示部５１の缶軸方向の幅が広くなるように塗布されている。
したがって、図１において、表示部１１の一方の端部４０側では、緑色とされ、他方の端部４１側に向かうに従って、漸次緑色から赤色に移り行き、端部４１では赤色とされることになる。
【００１８】
即ち、缶を見る角度によって缶表面に形成された表示部１１の色彩を変化させることができる。
このため、フィルムを用いることなく、缶１０を見る角度によって色彩の変化する表示部１１を得ることができるため、製造コストを低廉にすることができる。
また、本実施形態に係る缶１０の表示部１１は、塗布装置３０によって一度の印刷によって形成することができる。
つまり、印刷を複数回繰り返す必要がないため、製造工程を複雑にすることなく、缶１０を見る角度によって色彩の変化する表示部１１を得ることができる。
【００１９】
図４は、この発明の第２の実施形態を示すものである。なお、図４において、図１〜３に示された構成と同一の構成については、同一符号を付してその説明を省略する。
図４に示されるように、表示部１１は、複数の単位表示部５０、５１によって形成されている。この単位表示部５０は、複数の単位表示領域５０ｃによって形成されている。
【００２０】
この単位表示領域５０ｃは、缶胴１０ｂの周方向に沿うに従って、缶軸方向の面積が漸次変化するように形成されると共に、缶胴１０ｂの周方向に連なるように形成されている。
つまり、単位表示領域５０ｃは、その面積が表示部１１の一方の端部４０において最大とされ、また、表示部１１の中央部４２において最小とされ、そして、表示部１１の他方の端部４１において最大となるように形成されている。
このため、単位表示部５０は帯状に形成され、その缶軸方向の幅が表示部１１の一方の端部４０と他方の端部４１とにおいて缶軸方向の幅が最大幅（１ｍｍ以上２ｍｍ以下）とされ、表示部１１の中央部４２において最小幅（０．２ｍｍ以下）とされるように形成されている。
【００２１】
その一方で、単位表示部５１は、複数の単位表示領域５１ｃによって形成されている。この単位表示領域５１ｃは、缶胴１０ｂの周方向に沿うに従って、缶軸方向の面積が漸次変化するように形成されると共に、缶胴１０ｂの周方向に連なるように形成されている。
つまり、単位表示領域５１ｃは、その面積が表示部１１の中央部４２において最大とされ、表示部１１の一方の端部４０と他方の端部４１とにおいて最小となるように形成されている。
このため、単位表示部５１は帯状に形成され、その缶軸方向の幅が表示部１１の中央部４２において最大幅（１ｍｍ以上２ｍｍ以下）とされ、表示部１１の一方の端部４０と他方の端部４１とにおいて最小幅（０．２ｍｍ以下）とされている。
このように形成された単位表示部５０と単位表示部５１とは、缶軸方向に交互に複数形成されている。
【００２２】
上記のように形成された表示部１１は、一方の端部４０の色彩が緑色とされ、一方の端部４０から中央部４２に向かうに従って漸次赤色とされ、中央部４２において赤色となる。
また、表示部１１の中央部４２から他方の端部４１に向かうに従って、漸次緑色とされ、他方の端部４２において緑色となる。
したがって、本実施形態においても、第１の実施形態と同様に表示部１１の色彩を変化させることができる。
特に、缶を見る方向を、表示部１１の一方の端部４０から他方の端部４１に向けると、表示部１１の色彩が緑色から赤色に変化し、そして、赤色から緑色に変化することになる。
このため、本実施形態に係る缶１０によれば、缶１０の見る方向を変化させることによって、表示部１１の色彩を複数回変化させることができる。
【００２３】
図５は、この発明の第３の実施形態を示すものである。なお、図５において、図１から図４に示された構成と同一の構成については同一符号を付して、その説明を省略する。
表示部１１は、複数の単位表示部５０、５１によって形成されている。
単位表示部５０は、複数の単位表示領域５０ｃによって形成されており、この単位表示領域５０ｃは、個々独立に円形状に形成されている。
また、単位表示領域５０ｃは、その面積が表示部１１の一方の端部４０において最大とされ、他方の端部４１において最小とされている。
【００２４】
単位表示部５１は、複数の単位表示領域５１ｃによって形成されており、この単位表示領域５１ｃは、個々に独立して円形状に形成されている。
また、単位表示流域５１ｃは、その面積が表示部１１の一方の端部４０において最小とされ、他方の端部４１において最大とされている。
表示部１１は、上述したように形成された単位表示部５０と単位表示部５１とによって形成されていることから、表示部１１の一方の端部４０の色彩は、緑色とされ、他方の端部４１においては、赤色とされている。
したがって、本実施形態においても、第１の実施形態と同様に、缶１０の見る方向を変化させたときに、表示部１１の色彩を変化させることができる。
【産業上の利用可能性】
【００２５】
この発明に係る缶によれば、缶の見る方向を変化させたときに、表示部の色彩を変化させることができるため、産業上の利用可能性が認められる。
【図面の簡単な説明】
【００２６】
【図１】本発明の第１の実施形態に係る缶の斜視図である。
【図２】図１に示された缶に形成された表示部の拡大図である。
【図３】図１に示される缶の缶塗装装置の概略図である。
【図４】本願発明の第２の実施形態に係る缶の要部拡大図である。
【図５】本願発明の第３の実施形態に係る缶の要部拡大図である。
【符号の説明】
【００２７】
１０    缶
１０ｂ  缶胴
１１    表示部
３０    缶塗装装置
５０    単位表示部
５０ｃ  単位表示領域
５１    単位表示部
５１ｃ  単位表示領域
【図１】
2005132381.tif 000003
【図２】
2005132381.tif 000004
【図３】
2005132381.tif 000005
【図４】
2005132381.tif 000006
【図５】
2005132381.tif 000007